(57)【要約】【課題】マンホール蓋の管理対象データベースを効率的に作成することを可能とする。【解決手段】マンホール蓋管理システム２は地上を撮影した画像を含んだ地理空間情報に基づいてマンホール蓋を管理する。標本データベース４２は予め標本マンホール蓋の種類ごとに当該標本マンホール蓋の表面画像に関する情報を格納する。画像分割手段２０、部分画像抽出手段２２、回転不変特徴抽出手段２４及び蓋検知手段２６は地理空間情報からマンホール蓋の表面画像である観察蓋画像を抽出すると共に当該マンホール蓋の設置位置を検出し注目マンホール蓋を特定する。また蓋検知手段２６は標本データベース４２にて、観察蓋画像に基づいて注目マンホール蓋と標本マンホール蓋との照合処理を行い、注目マンホール蓋の種類を判別する。登録処理手段２８は注目マンホール蓋について設置位置及び種類を対応付けて管理対象マンホール蓋として管理対象データベース４４に登録する。【選択図】図１
2015191573.tif 000002
【特許請求の範囲】
【請求項１】
地上を撮影した画像を含んだ地理空間情報に基づいてマンホール蓋を管理するマンホール蓋管理装置であって、
予め標本マンホール蓋の種類ごとに当該標本マンホール蓋の表面画像に関する情報を格納した標本データベースと、
前記地理空間情報から前記マンホール蓋の表面画像である観察蓋画像を抽出すると共に当該マンホール蓋の設置位置を検出し注目マンホール蓋を特定する注目対象特定手段と、
前記標本データベースにて、前記観察蓋画像に基づいて前記注目マンホール蓋と前記標本マンホール蓋との照合処理を行い、前記注目マンホール蓋の前記種類を判別する種類判別手段と、
前記注目マンホール蓋について前記設置位置及び前記種類を対応付けて管理対象マンホール蓋として管理対象データベースに登録する管理対象登録手段と、
を有することを特徴とするマンホール蓋管理装置。
【請求項２】
請求項１に記載のマンホール蓋管理装置において、
前記管理対象登録手段は、
前記注目マンホール蓋の前記設置位置及び前記種類にさらに当該注目マンホール蓋の前記観察蓋画像に関する情報を対応付けて前記管理対象マンホール蓋として前記管理対象データベースに登録し、
前記管理対象データベースに前記設置位置が前記注目マンホール蓋と共通する前記管理対象マンホール蓋がある場合には、当該注目マンホール蓋の前記観察蓋画像に関する情報を当該管理対象マンホール蓋に対応付けて前記管理対象データベースに記録し、
複数時期の前記観察蓋画像の比較を可能としたことを特徴とするマンホール蓋管理装置。
【請求項３】
請求項１又は請求項２に記載のマンホール蓋管理装置において、
前記種類判別手段は、前記管理対象データベースに前記設置位置が前記注目マンホール蓋と共通する前記管理対象マンホール蓋がある場合には、当該注目マンホール蓋についての前記照合処理を省略すること、を特徴とするマンホール蓋管理装置。
【請求項４】
請求項１から請求項３のいずれか１つに記載のマンホール蓋管理装置において、
前記種類判別手段は、前記照合処理として、前記注目マンホール蓋及び前記標本マンホール蓋それぞれの表面画像から生成される回転不変なテクスチャ画像について画素値のヒストグラムを比較すること、を特徴とするマンホール蓋管理装置。
【請求項５】
地上を撮影した画像を含んだ地理空間情報に基づいてマンホール蓋を管理するマンホール蓋管理方法であって、
前記地理空間情報から前記マンホール蓋の表面画像である観察蓋画像を抽出すると共に当該マンホール蓋の設置位置を検出し注目マンホール蓋を特定する注目対象特定ステップと、
標本マンホール蓋の種類ごとに当該標本マンホール蓋の表面画像に関する情報を格納した標本データベースにて、前記観察蓋画像に基づいて前記注目マンホール蓋と前記標本マンホール蓋との照合処理を行い、前記注目マンホール蓋の前記種類を判別する種類判別ステップと、
前記注目マンホール蓋について前記設置位置及び前記種類を対応付けて管理対象マンホール蓋として管理対象データベースに登録する管理対象登録ステップと、
を有することを特徴とするマンホール蓋管理方法。
【請求項６】
地上を撮影した画像を含んだ地理空間情報に基づいてマンホール蓋を管理する処理をコンピュータに行わせるためのプログラムであって、当該コンピュータを、
予め標本マンホール蓋の種類ごとに当該標本マンホール蓋の表面画像に関する情報を格納した標本データベース、
前記地理空間情報から前記マンホール蓋の表面画像である観察蓋画像を抽出すると共に当該マンホール蓋の設置位置を検出し注目マンホール蓋を特定する注目対象特定手段、
前記標本データベースにて、前記観察蓋画像に基づいて前記注目マンホール蓋と前記標本マンホール蓋との照合処理を行い、前記注目マンホール蓋の前記種類を判別する種類判別手段、及び、
前記注目マンホール蓋について前記設置位置及び前記種類を対応付けて管理対象マンホール蓋として管理対象データベースに登録する管理対象登録手段、
として機能させることを特徴とするプログラム。
【発明の詳細な説明】
【技術分野】
【０００１】
本発明は地上を撮影した画像を含んだ地理空間情報に基づいてマンホール蓋を管理するマンホール蓋管理装置、マンホール蓋管理方法及びプログラムに関する。
【背景技術】
【０００２】
近年、社会インフラの点検と保守の必要性が公になってきたが、社会的に技術がまだ十分でない現実がある。社会インフラの一つとして人が生活するための基盤となる下水道が町に都市に配置されている。下水道にはマンホールが設置され、マンホールにはマンホール蓋が設備されている。
【０００３】
マンホールの蓋は車両通行下の過酷な設置環境に置かれる一方、大雨による蓋の飛散浮上の防止や人や車両の転落防止が要求され、極めて過酷な条件の下、安定に存在する必要がある。そのため、マンホール蓋の耐用年数は管渠やマンホールに比べると短く、保守・点検の必要性が高い。
【先行技術文献】
【特許文献】
【０００４】
【特許文献１】特開２００９−２６６００３号公報
【発明の概要】
【発明が解決しようとする課題】
【０００５】
従来は近年ほど社会インフラの点検と保守の必要性が認識されていなかったこともあり、マンホールを設置した位置・時期、種類などについての記録が残されていないことも多い。一方、マンホールの数は膨大であり、また種類も多いため、人手によりマンホール蓋の設置位置を調べたり種類を判別したりすることは多大な労力を要するという問題があった。
【０００６】
本発明は、地上を撮影した画像を含んだ地理空間情報に基づいてマンホール蓋の管理対象データベースを効率的に作成することを可能とするマンホール蓋管理装置、マンホール蓋管理方法及びプログラムを提供することを目的とする。
【課題を解決するための手段】
【０００７】
（１）本発明に係るマンホール蓋管理装置は、地上を撮影した画像を含んだ地理空間情報に基づいてマンホール蓋を管理するマンホール蓋管理装置であって、予め標本マンホール蓋の種類ごとに当該標本マンホール蓋の表面画像に関する情報を格納した標本データベースと、前記地理空間情報から前記マンホール蓋の表面画像である観察蓋画像を抽出すると共に当該マンホール蓋の設置位置を検出し注目マンホール蓋を特定する注目対象特定手段と、前記標本データベースにて、前記観察蓋画像に基づいて前記注目マンホール蓋と前記標本マンホール蓋との照合処理を行い、前記注目マンホール蓋の前記種類を判別する種類判別手段と、前記注目マンホール蓋について前記設置位置及び前記種類を対応付けて管理対象マンホール蓋として管理対象データベースに登録する管理対象登録手段と、を有する。
【０００８】
（２）上記（１）に記載するマンホール蓋管理装置において、前記管理対象登録手段は、前記注目マンホール蓋の前記設置位置及び前記種類にさらに当該注目マンホール蓋の前記観察蓋画像に関する情報を対応付けて前記管理対象マンホール蓋として前記管理対象データベースに登録し、前記管理対象データベースに前記設置位置が前記注目マンホール蓋と共通する前記管理対象マンホール蓋がある場合には、当該注目マンホール蓋の前記観察蓋画像に関する情報を当該管理対象マンホール蓋に対応付けて前記管理対象データベースに記録し、複数時期の前記観察蓋画像の比較を可能とする構成とすることができる。
【０００９】
（３）上記（１）及び（２）に記載するマンホール蓋管理装置において、前記種類判別手段は、前記管理対象データベースに前記設置位置が前記注目マンホール蓋と共通する前記管理対象マンホール蓋がある場合には、当該注目マンホール蓋についての前記照合処理を省略する構成とすることができる。
【００１０】
（４）上記（１）から（３）に記載するマンホール蓋管理装置において、前記種類判別手段は、前記照合処理として、前記注目マンホール蓋及び前記標本マンホール蓋それぞれの表面画像から生成される回転不変なテクスチャ画像について画素値のヒストグラムを比較する構成とすることができる。
【００１１】
（５）本発明に係るマンホール蓋管理方法は、地上を撮影した画像を含んだ地理空間情報に基づいてマンホール蓋を管理するマンホール蓋管理方法であって、前記地理空間情報から前記マンホール蓋の表面画像である観察蓋画像を抽出すると共に当該マンホール蓋の設置位置を検出し注目マンホール蓋を特定する注目対象特定ステップと、標本マンホール蓋の種類ごとに当該標本マンホール蓋の表面画像に関する情報を格納した標本データベースにて、前記観察蓋画像に基づいて前記注目マンホール蓋と前記標本マンホール蓋との照合処理を行い、前記注目マンホール蓋の前記種類を判別する種類判別ステップと、前記注目マンホール蓋について前記設置位置及び前記種類を対応付けて管理対象マンホール蓋として管理対象データベースに登録する管理対象登録ステップと、を有する。
【００１２】
（６）本発明に係るプログラムは、地上を撮影した画像を含んだ地理空間情報に基づいてマンホール蓋を管理する処理をコンピュータに行わせるためのプログラムであって、当該コンピュータを、予め標本マンホール蓋の種類ごとに当該標本マンホール蓋の表面画像に関する情報を格納した標本データベース、前記地理空間情報から前記マンホール蓋の表面画像である観察蓋画像を抽出すると共に当該マンホール蓋の設置位置を検出し注目マンホール蓋を特定する注目対象特定手段、前記標本データベースにて、前記観察蓋画像に基づいて前記注目マンホール蓋と前記標本マンホール蓋との照合処理を行い、前記注目マンホール蓋の前記種類を判別する種類判別手段、及び、前記注目マンホール蓋について前記設置位置及び前記種類を対応付けて管理対象マンホール蓋として管理対象データベースに登録する管理対象登録手段、として機能させる。
【発明の効果】
【００１３】
本発明によれば、地上を撮影した画像を含んだ地理空間情報に基づいてマンホール蓋の管理対象データベースが効率的に作成され、マンホール蓋の管理が容易となる。
【図面の簡単な説明】
【００１４】
【図１】本発明の実施形態に係るマンホール蓋管理システムの概略の構成を示すブロック図である。
【図２】本発明の実施形態に係るマンホール蓋管理システムによる処理の概略のフロー図である。
【図３】路面のオルソ画像の例である。
【図４】図３に示す画像に対する画像分割手段による領域分割処理結果の例を示す画像である。
【図５】部分画像抽出手段による処理を示す模式図である。
【図６】回転不変特徴抽出手段による処理を示す模式図である。
【図７】回転不変特徴ＬＢＰを説明する模式図である。
【図８】標本データベースの一例の模式図である。
【図９】管理対象データベースの一例の模式図である。
【図１０】蓋検知手段での種類判別処理及び登録処理手段の処理の概略のフロー図である。
【発明を実施するための形態】
【００１５】
以下、本発明の実施の形態（以下実施形態という）であるマンホール蓋管理システム２について、図面に基づいて説明する。本システムは、地上を撮影した画像においてマンホールの蓋を検出し管理台帳を作成する。地上の画像は例えば、自動車にカメラ及びレーザスキャナを搭載したモービルマッピングシステム（Mobile Mapping System：ＭＭＳ）を用いて、道路を走行しながら取得することができる。なお、ＭＭＳはカメラによるカラー画像データと共にレーザスキャナによって三次元座標を表す点群データを得ることができる。また、ＭＭＳではレーザスキャンや撮像動作と同期して、車体の位置・姿勢を計測する。つまり、ＭＭＳにより取得される画像データ、点群データは地上での位置と関連づけられ、地理空間情報を構成する。車体の位置・姿勢の計測は例えば、ＧＰＳ／ＩＭＵ（Global Positioning System：全地球測位システム、Inertial Measurement Unit：慣性計測装置)を用いて行われる。
【００１６】
図１はマンホール蓋管理システム２の概略の構成を示すブロック図である。本システムは、演算処理装置４、記憶装置６、入力装置８及び出力装置１０を含んで構成される。演算処理装置４として、本システムの処理を行う専用のハードウェアを作ることも可能であるが、本実施形態では演算処理装置４は、コンピュータ及び、当該コンピュータ上で実行されるプログラムを用いて構築される。
【００１７】
演算処理装置４はコンピュータのＣＰＵ（Central Processing Unit）からなり、後述する画像分割手段２０、部分画像抽出手段２２、回転不変特徴抽出手段２４、蓋検知手段２６、及び登録処理手段２８として機能する。
【００１８】
記憶装置６はコンピュータに内蔵されるＲＯＭ（Read Only Memory）、ＲＡＭ（Random Access Memory）、ＨＤＤ（Hard Disk Drive）などで構成される。記憶装置６は演算処理装置４にて実行される各種のプログラムや、本システムの処理に必要な各種データなどを記憶し、演算処理装置４との間でこれらの情報を入出力する。例えば、記憶装置６には、処理対象データとして路面画像データ４０や車載ＧＰＳ／ＩＭＵの計測データなどＭＭＳで取得された計測データが格納される。さらに記憶装置６には標本データベース４２及び管理対象データベース４４が格納される。
【００１９】
入力装置８はキーボード、マウスなどであり、ユーザが本システムへの操作を行うために用いる。
【００２０】
出力装置１０はディスプレイ、プリンタなどであり、本システムにより抽出されたマンホール蓋の情報、記憶装置６に登録されたデータベースの内容などを画面表示、印刷等によりユーザに示す等に用いられる。
【００２１】
画像分割手段２０は、路面画像データ４０から得られる路面など地表面の画像を、それぞれ画素値が所定の類似性を有する画素からなる複数の画像断片（部分画像領域）に分割する。画像分割手段２０は分割に際し、画像断片の形状についてコンパクトネスやスムースネスなどのパラメータに関する条件を考慮することができる。なお、分割対象とする地表面の画像には好適にはオルソ画像を用いる。
【００２２】
部分画像抽出手段２２は、部分画像領域のうち、検出対象とするマンホール蓋の形状（注目形状）に適合するものを選び、その部分画像領域から、注目形状での形状フィッティング処理で定めた輪郭内の画像をマンホール蓋の画像の候補（候補部分画像）として抽出する。本実施形態では、注目形状は円とし、部分画像抽出手段２２は部分画像領域を楕円フィッティングし、扁平率が予め定めた真円基準値以下である部分画像領域から楕円フィッティングで切り出された画像を候補部分画像として抽出する。
【００２３】
回転不変特徴抽出手段２４は候補部分画像から回転不変なテクスチャ画像を生成し、当該テクスチャ画像について画素値のヒストグラムを求める（ヒストグラム生成手段）。
【００２４】
蓋検知手段２６は、候補部分画像についてのヒストグラムの形状に基づいて候補部分画像におけるマンホール蓋の有無を検知する。また、蓋検知手段２６は、候補部分画像についての当該ヒストグラムを、標本データベース４２に予め格納された標本とされるマンホール蓋の画像から生成したテクスチャ画像についての画素値のヒストグラムと照合し、照合結果に基づいて候補部分画像がマンホール蓋であることを検知する構成とすることもできる。さらに、蓋検知手段２６は当該照合結果に基づいて、マンホール蓋の種類を判別する種類判別手段としても機能する。
【００２５】
上述したように画像分割手段２０、部分画像抽出手段２２、回転不変特徴抽出手段２４及び蓋検知手段２６は地表面の画像を含む地理空間情報からマンホール蓋の候補部分画像（観察蓋画像）を抽出する。この抽出処理では候補部分画像の地上での位置も特定される。当該位置は検出されたマンホール蓋の設置位置とされる。
【００２６】
登録処理手段２８は、検出された個々のマンホール蓋（注目マンホール蓋）について設置位置及び種類を対応付けて管理対象マンホール蓋として管理対象データベース４４に登録する管理対象登録手段である。
【００２７】
ここで上述した画像分割手段２０、部分画像抽出手段２２、回転不変特徴抽出手段２４及び蓋検知手段２６は、管理対象登録手段での登録処理における注目マンホール蓋を特定する注目対象特定手段として機能している。すなわち、画像分割手段２０、部分画像抽出手段２２、回転不変特徴抽出手段２４及び蓋検知手段２６は、地理空間情報からマンホール蓋の表面画像である観察蓋画像を抽出すると共に当該マンホール蓋の設置位置を検出して注目マンホール蓋を特定する。
【００２８】
路面画像データ４０は地表面を撮影した画像であり、本実施形態ではＭＭＳのカメラで撮影される路面及びその近傍の画像である。路面画像データ４０はオルソ補正された画像でもよいし、オルソ補正されていない画像でもよい。
【００２９】
標本データベース４２は、標本とするマンホール蓋（標本マンホール蓋）の種類ごとに当該標本マンホール蓋の表面画像に関する情報を予め格納したデータベースである。標本マンホール蓋は、例えば、マンホールの管理者などがマンホールの設置時などに取得した情報に基づいて登録される。また、過去の実地観察・計測にて把握されたマンホール蓋の情報も標本マンホール蓋として標本データベース４２に登録することができる。
【００３０】
管理対象データベース４４は、路面画像データ４０にて観察されたマンホール蓋（管理対象マンホール蓋）について設置位置及び種類を対応付けて記憶し、マンホール蓋の保守、点検にて管理台帳として機能する。管理対象データベース４４には、管理対象マンホール蓋についての設置位置及び種類にさらに観察蓋画像に関する情報を対応付けて格納することができる。観察蓋画像に関する情報は、観察蓋画像そのものでもよいし、当該画像から得られた上述のテクスチャ画像やヒストグラムでもよい。
【００３１】
図２は、マンホール蓋管理システム２による処理の概略のフロー図である。図２を参照しながら、演算処理装置４の動作を説明する。
【００３２】
後述するようにマンホール蓋管理システム２において地表面の画像からマンホール蓋を検出する処理では、マンホール蓋の画像はできるだけ真上から撮影した、歪みが小さい画像であることが望ましい。ＭＭＳで取得される画像は通常、車両上から斜め下を向いて撮影されるため、演算処理装置４は路面画像データ４０に対してオルソ補正を施して地表面を真上から見た正射影画像である路面オルソ画像を生成する（ステップＳ１）。なお、路面画像データ４０としてオルソ補正後の画像が格納されている場合にはこの処理は省略され、また路面画像データ４０がほぼ真上から撮影された画像である場合などもオルソ補正処理を省略可能である。
【００３３】
画像分割手段２０は路面オルソ画像を複数の部分画像領域に分割する（ステップＳ２）。この分割処理は一般にセグメンテーションと称される手法により実現される。例えば、代表的なセグメンテーションの方式としてｋ平均法や平均シフト法が知られている。
【００３４】
図３は路面オルソ画像の例であり、図４は図３に示す画像に対する画像分割手段２０による領域分割処理結果の例を示す画像である。すなわち図３の路面のオルソ画像５０を領域分割した結果が図４の画像５２であり、複数の部分画像領域５４が生成されている。画像５０にはマンホール蓋６０及び道路標示である白線６２が映っている。画像５２ではマンホール蓋６０、白線６２の輪郭にほぼ沿った境界を有する部分画像領域５４ａ，５４ｂが生成される他、道路の舗装面部分も複数の部分画像領域５４に分割されている。
【００３５】
図２に戻り領域分割に続く処理を説明する。部分画像抽出手段２２は、部分画像領域５４のうちマンホール蓋に対応する部分画像領域５４ａを見つけ、当該部分画像領域から候補部分画像を抽出する。例えば、部分画像抽出手段２２は部分画像領域の色、形状の情報を用いてマンホール蓋に対応する部分画像領域５４ａを見つけ（ステップＳ３）、当該部分画像領域５４ａについてマンホール蓋の形状に応じた形状フィッティング処理を行って（ステップＳ４）、当該部分画像領域５４ａからマンホール蓋の画像と推定される候補部分画像を抽出する（ステップＳ５）。
【００３６】
例えば、部分画像抽出手段２２は、ステップＳ３において、マンホール蓋の形状に関し略円形であることを条件とする。また、マンホール蓋は周囲の舗装面とは色、輝度が異なり得るので、これを条件に含めて、マンホール蓋の部分画像領域５４ａを検出することができる。略円形であることは、例えば、各部分画像領域５４を楕円フィッティグし、扁平率及びフィッティング誤差から判断することができる。具体的には、フィッティング誤差が予め定めたしきい値以下であり、扁平率が予め定めた真円基準値以下である場合に略円形であると判定することができる。なお、形状が略円形であることは楕円フィッティング処理以外の手法で判断してもよい。
【００３７】
図４の例に示されるように、領域分割処理で生成されるマンホール蓋の部分画像領域５４ａの境界は必ずしもマンホール蓋の輪郭とは一致しない。すなわち、不規則な凹凸を有し、基本的に滑らかな円となるマンホール蓋の輪郭とは相違する。ステップＳ４の形状フィッティング処理はマンホール蓋のエッジに適合する滑らかな円（又は楕円）の輪郭を定める。ここで、ステップＳ３にてマンホール蓋の部分画像領域の検出に楕円フィッティング処理を行った場合、ステップＳ４における楕円フィッティングではステップＳ３の結果を流用することができる。
【００３８】
この形状フィッティングでは路面オルソ画像におけるマンホール蓋の輪郭の形状、大きさ及び位置が定まり、部分画像抽出手段２２はステップＳ４５において当該輪郭の内側の画像をマンホール蓋の画像の候補（候補部分画像）として切り出す。
【００３９】
図５は図２のステップＳ３〜Ｓ５の処理を示す模式図であり、画像７０は路面オルソ画像５０に検出されたマンホール蓋の部分画像領域５４ａの形状を示す二値化画像である。画像７２は画像７０にて白で示す部分画像領域５４ａの形状に対し楕円近似のアルゴリズムを用いて形状フィッティングを行った結果を示している。画像７４は路面オルソ画像から、画像７２に示す輪郭の内側に存在する部分を抽出して得られた候補部分画像を示している。
【００４０】
図２に戻りマンホール蓋の画像データの抽出（ステップＳ３〜Ｓ５）に続く処理を説明する。回転不変特徴抽出手段２４はステップＳ５で抽出された候補部分画像から回転不変なテクスチャ画像を生成し（ステップＳ６）、当該テクスチャ画像について画素値のヒストグラムを求める（ステップＳ７）。図６はステップＳ６，Ｓ７の処理を示す模式図である。図６において、画像８０は候補部分画像の例であり、画像８２は候補部分画像８０から生成された回転不変な特徴量を画素値とするテクスチャ画像である。そして、ヒストグラム８４がテクスチャ画像８２の画素値のヒストグラムである。
【００４１】
回転不変特徴抽出手段２４はステップＳ６にて回転不変なテクスチャ画像を生成する。つまり、或る傾きθ１で置かれた候補部分画像８０から生成されるテクスチャ画像をＴ１、他の傾きθ２で置かれた候補部分画像８０から生成されるテクスチャ画像をＴ２とすると、回転不変特徴抽出手段２４はＴ１を角度（θ２−θ１）回転させるとＴ２となるようなテクスチャ画像を生成する。
【００４２】
本実施形態では回転不変なテクスチャ画像として回転不変特徴を有する局所二値化パターン（Local Binary Pattern：ＬＢＰ）である回転不変特徴ＬＢＰを生成する。図７は回転不変特徴ＬＢＰを説明する模式図であり、これを用いて候補部分画像の任意の画素ＰＣに対する回転不変特徴ＬＢＰの画素値の計算方法を説明する。ここではＬＢＰを画素ＰＣを中心とする３×３画素を用いて計算する。ＰＣの近傍８画素（局所画像９０）の位置を例えば、左上から時計回りに１〜８のインデックスｉで表す。近傍８画素を近傍画素Ｐｉと中心画素ＰＣとの画素値の大小関係により二値化する。例えば、画素ｉについての二値化値Ｂｉを画素値の差（Ｐｉ−ＰＣ）の符号に応じて定める（局所二値化画像９２）。具体的には（Ｐｉ−ＰＣ）≧０ならばＢｉ＝１、（Ｐｉ−ＰＣ）＜０ならばＢｉ＝０に定める。
【００４３】
通常のＬＢＰでは、各画素ｉに対応して固定の重み係数Ｃｉを設定し、積ＢｉＣｉのｉについての総和をＬＢＰの画素値とする。例えば、Ｃｉ≡２ｉ−１とすることができる。
【００４４】
本実施形態では近傍８画素と８種類の重み係数Ｃとの対応関係を近傍８画素の中心画素の周りでの並び順に沿って順にずらして、通常の方法でのＬＢＰ画素値を８通り算出する（重み係数９４）。具体的には、ｊ＝０〜７なる自然数、ｋを（ｉ−ｊ）を８で除したときの非負の剰余とし、各ｊについて積ＢｉＣｋの総和Ｓｊを求める。ここで、候補部分画像が回転して画素ＰＣの位置が変わり、それと共にその近傍８画素の画素ＰＣの周りの並び順が変化しても、８通りの総和Ｓｊからなる数値群は変化しない。よって例えば、それらの最小値は回転不変特徴量となる。そこで本実施形態では８通りの総和Ｓｊの最小値を、画素ＰＣに対応する回転不変特徴ＬＢＰの画素値ＱＣとする。
【００４５】
ここで、ＬＢＰは照明強度の変化の影響を受けにくい性質を有し、これは回転不変特徴ＬＢＰも同様である。この性質は、天候や撮影時刻に応じて変化する路面の照明状況の影響を受けにくくする点で好都合である。
【００４６】
回転不変特徴抽出手段２４はこのように候補部分画像８０から生成した回転不変なテクスチャ画像８２の画素値のヒストグラム８４を求める。このヒストグラムは路面オルソ画像における候補部分画像の向きによらず一定となる。
【００４７】
このように生成したテクスチャ画像のヒストグラムは、路面オルソ画像のうちマンホール蓋のような人工的な模様を有する部分におけるものと、舗装面のように明確な模様を有さない部分におけるものとで異なる様相を示す。そこで、候補部分画像についての当該ヒストグラムの形状に基づいて候補部分画像におけるマンホール蓋の有無を判別することが可能である。
【００４８】
さらに、マンホール蓋同士でも種類が異なり模様に違いが生じるとヒストグラムの形状に差が生じる。そこで、ヒストグラムの照合によりマンホール蓋の種類の判別が可能である。蓋検知手段２６はこれを利用して、候補部分画像についてのヒストグラムと標本データベース４２に記憶されているマンホール蓋について得られるヒストグラムとを照合し、照合結果に基づいて候補部分画像がマンホール蓋であることを検知すると共に、その種類を判別する（図２のステップＳ８）。
【００４９】
以降、候補部分画像がマンホール蓋であると検知されることを念頭において、候補部分画像を観察蓋画像と呼ぶことにする。
【００５０】
図８は標本データベース４２の一例の模式図である。標本データベース４２は上述の照合に際して標本として用いられる既知のマンホール蓋に関する情報を格納する。図８に示す例では、標本マンホール蓋ごとにタイプ番号、マンホール蓋の表面画像に関する情報の他、設置時期、材質、構造などの属性情報が登録される。標本マンホール蓋の表面画像に関する情報は、マンホール蓋の表面画像そのものでもよいし、当該画像から得られた上述のテクスチャ画像やヒストグラムでもよい。
【００５１】
上述のように蓋検知手段２６は路面オルソ画像から抽出されたマンホール蓋（注目マンホール蓋）の画像である観察蓋画像と標本データベース４２に登録された標本マンホール蓋とを照合する種類判別処理を行う。この種類判別処理では、例えば、注目マンホール蓋及び標本マンホール蓋それぞれの表面画像から生成される回転不変なテクスチャ画像について画素値のヒストグラムを比較・照合する。
【００５２】
ヒストグラムの比較・照合はヒストグラム間の距離に基づいて行うことができ、例えば、蓋検知手段２６は、注目マンホール蓋との当該距離が最も小さくなる標本マンホール蓋を当該注目マンホール蓋に該当するものと判定する。蓋検知手段２６は照合結果を登録処理手段２８へ出力したり、注目マンホール蓋の画像と照合結果の標本マンホール蓋の画像とを対比可能に出力装置１０のディスプレイ等に表示してユーザに確認を求めたりすることができる。
【００５３】
ヒストグラムの距離は例えば、Matsusita Distanceを用いて測ることができ、その場合、注目マンホール蓋に関するヒストグラムＨＱ(ｉ)，標本マンホール蓋に関するＨＸ(ｉ)の距離Ｍ(ＨＱ,ＨＸ)は次式で与えられる。なお、ｉはヒストグラムのビンのインデックスであり、ＨＱ(ｉ)，ＨＸ(ｉ)はそれぞれ各ヒストグラムのビンｉでの度数である。
【数１】
2015191573.tif 000003
【００５４】
登録処理手段２８は蓋検知手段２６での照合結果を受けて、注目マンホール蓋について設置位置及び、マンホール蓋の種類を対応付けて管理対象マンホール蓋として管理対象データベース４４に登録する（図２のステップＳ９）。
【００５５】
図９は管理対象データベース４４の一例の模式図である。登録処理手段２８は、注目マンホール蓋について、観察蓋画像が検出された地表面上の位置を設置位置とし、蓋検知手段２６で判定されたマンホール蓋の種類と対応付けて管理対象マンホール蓋として管理対象データベース４４に登録する。また登録処理手段２８は管理対象マンホール蓋ごとに観察蓋画像に関する情報を記録することができる。さらに、登録処理手段２８は検出された観察蓋画像と設置位置が共通する管理対象マンホール蓋が管理対象データベース４４に存在する場合には、新たに得られた観察蓋画像に関する情報を当該管理対象マンホール蓋に対応付けて管理対象データベース４４に記録してもよい。これにより、マンホール蓋管理システム２は管理対象マンホール蓋について複数時期の観察蓋画像を比較することができ、マンホール蓋の経時変化を検出して管理・保守に利用することができる。また、管理対象マンホール蓋に対する保守の履歴なども、当該管理対象マンホール蓋に対応付けて記録することができる。
【００５６】
図１０は蓋検知手段２６による種類判別処理及び登録処理手段２８による処理の概略のフロー図である。路面画像データ４０から注目マンホール蓋の画像が抽出されると（ステップＳ２０）、蓋検知手段２６はその検出位置が管理対象データベース４４に既に登録されている管理対象マンホール蓋の設置位置と一致するかを調べる（ステップＳ２１）。一致する管理対象マンホール蓋がなければ（ステップＳ２１にて「Ｎｏ」の場合）、蓋検知手段２６は標本データベース４２に登録された標本マンホール蓋との回転不変特徴ＬＢＰのヒストグラムのマッチングを行う（ステップＳ２２）。マッチングが成立した場合は（ステップＳ２３にて「Ｙｅｓ」の場合）、注目マンホール蓋は標本マンホール蓋の１つと判断され、その標本マンホール蓋の種類が注目マンホール蓋の設置位置、画像情報と共に管理対象データベース４４に新規登録される（ステップＳ２４）。
【００５７】
一方、標本データベース４２とのマッチング処理Ｓ２２にて標本データベース４２に注目マンホール蓋と一致するものがなかった場合は（ステップＳ２３にて「Ｎｏ」の場合）、登録処理手段２８は注目マンホール蓋を管理対象データベース４４に新規登録する（ステップＳ２４）と共に、標本データベース４２に標本マンホール蓋として新規登録することができる（ステップＳ２５）。
【００５８】
また、注目マンホール蓋の検出位置が管理対象データベース４４に登録済みである場合は（ステップＳ２１にて「Ｙｅｓ」の場合）、蓋検知手段２６はマンホール蓋の種類を判別するマッチング処理Ｓ２２を省略して、注目マンホール蓋の画像情報を、位置が一致した管理対象マンホール蓋に対応付けて記録する（ステップＳ２６）。ここで、マンホール蓋は一旦設置されると長期に亘り基本的には同じ種類のままであることから、マッチング処理Ｓ２２を上述のように省略することが可能となる。
【００５９】
なお、図１０に示す各ステップにてマンホール蓋管理システム２は処理結果を出力装置１０に表示するなどして利用者に示し、利用者が確認して次のステップに進むか指示するようにすることができる。
【００６０】
さて、１つの管理対象マンホール蓋に記録された撮影時期が異なる複数の画像情報について、上述した回転不変なテクスチャ画像のヒストグラムの比較を行うことでマンホール蓋の経時変化などを検出することができる。例えば、マンホール蓋管理システム２は２時期間でのヒストグラムの距離についてしきい値判定や、当該距離に基づく３時期以上での画像の変化傾向などから、摩耗や破損等の経時変化の可能性があるマンホール蓋を検出して利用者に提示することができる。
【００６１】
マンホール蓋管理システム２によれば、例えば、ＭＭＳにより広範囲の路面等を効率的に撮影した画像を、迅速に処理してマンホール蓋を自動検出することができる。すなわち、広範囲、長距離の道路に亘る多くのマンホール蓋やハンドホール蓋の保守点検の省力化が図れる。また、従来は保守点検作業は交通量の多い場所では実質行うことが困難であったが、マンホール蓋管理システム２は交通量に影響されることなく取得できるＭＭＳのデータを利用して正確かつ安全にマンホール蓋の状態を把握することができる。
【００６２】
管理対象データベース４４は、マンホール蓋管理システム２により把握されたマンホール蓋の状態を記録し、管理台帳として保守・点検に利用することができる。管理対象マンホール蓋は設置位置を記録されるので、保守点検作業の対象となるマンホール蓋の位置を把握することができ、特にその位置を地図上に表示して作業効率の向上を図ることも容易にできる。また、管理対象データベース４４に複数時期の画像情報を記録することで、現地調査に依存しない経年変化の分析が可能となり、これにより作業に優先順位を決めて事故の発生を予防するための計画立案が可能となる。
【００６３】
上述の実施形態ではマンホール蓋の形状（注目形状）は円としたが他の所定形状にも適用できる。例えば、上述した形状フィッティングを矩形に対応したものとして、矩形のマンホール蓋を自動検出することができる。
【００６４】
また、回転不変なテクスチャ画像は、ＬＢＰの基づく回転不変量からなるもの以外でもよい。例えば、回転不変特徴量としてDifference-of-Gaussian(ＤｏＧ)に基づく回転不変量、同時生起行列に基づく回転不変量などが知られており、それらからなるテクスチャ画像を用いることもできる。
【符号の説明】
【００６５】
２  マンホール蓋管理システム、４  演算処理装置、６  記憶装置、８  入力装置、１０  出力装置、２０  画像分割手段、２２  部分画像抽出手段、２４  回転不変特徴抽出手段、２６  蓋検知手段、２８  登録処理手段、４０  路面画像データ、４２  標本データベース、４４  管理対象データベース。
【図１】
2015191573.tif 000004
【図２】
2015191573.tif 000005
【図３】
2015191573.tif 000006
【図４】
2015191573.tif 000007
【図５】
2015191573.tif 000008
【図６】
2015191573.tif 000009
【図７】
2015191573.tif 000010
【図８】
2015191573.tif 000011
【図９】
2015191573.tif 000012
【図１０】
2015191573.tif 000013